(57)【特許請求の範囲】
【請求項１】
少なくとも一部の外面に導電部材を有するケースと、
このケースに設けられ、前記導電部材よりも外部に突出する非導電性のスイッチ釦と、
前記スイッチ釦に設けられたチップアンテナとを備えたことを特徴とするアンテナ付き電子機器。
【請求項２】
前記ケースは腕に取り付けられるケースであることを特徴とする請求項１記載のアンテナ付き電子機器
【発明の詳細な説明】
【０００１】
【発明の属する技術分野】
この発明は、電子時計などのアンテナ付き電子機器に関する。
【０００２】
【従来の技術】
例えば、電子時計である電子腕時計においては、時刻修正用の電波を受信して自動的に時刻を修正したり、あるいは携帯電話などの通信用の電波を受信して振動や音などで報知したり、またはＩＤ番号などの識別番号データを緊急通報用の電波として送信したりするために、アンテナを内蔵することが要望されている。
【０００３】
【発明が解決しようとする課題】
しかしながら、従来の電子腕時計では、商品価値を高めるために、時計ケースが金属製であったり、また時計ケースを合成樹脂で形成し、この時計ケースの外面を金属で覆ったりした構造になっており、このため時計ケース内にアンテナを設けると、電波を受信または送信しずらくなるという問題があった。
【０００４】
この発明の課題は、少なくともケースの一部の外面が金属などの導電部材で覆われていても、確実かつ良好に電波を受信または送信できるようにすることである。
【０００５】
【課題を解決するための手段】
この発明は、少なくとも一部の外面に導電部材を有するケースと、このケースに設けられ、前記導電部材よりも外部に突出する非導電性のスイッチ釦と、前記スイッチ釦に設けられたチップアンテナとを備えたことを特徴とする。
したがって、この発明によれば、ケースの少なくとも一部の外面が金属などの導電部材で覆われていても、チップアンテナを導電部材から外部に位置させることができ、このため確実かつ良好に電波を受信または送信することができる。
【０００６】
この場合、請求項２に記載のごとく、ケースが腕に取り付けられるものであれば、腕に取り付けた状態で良好に電波を受信または送信することができる。
【０００７】
【発明の実施の形態】
［第１実施形態］
以下、図１〜図４を参照して、この発明を電子腕時計に適用した第１実施形態について説明する。この電子腕時計は、電波を受信して自動的に時刻修正をするものであり、チップ形状のアンテナとして誘電体を用いたチップアンテナを使用している。
図１は電子腕時計の正面図、図２はそのＡ−Ａ断面図、図３は図２の要部拡大断面図である。この電子腕時計は、金属製の時計ケース１を備えている。この時計ケース１の上部には、時計ガラス２がパッキン３を介して装着されており、その内部には、図２および図３に示すように、時計モジュール４が収納されている。さらに、時計ケース１の下面には、裏蓋５が防水リング６を介して取り付けられている。なお、時計ケース１の側面には、図１に示すように、時針、分針などの指針７の針合わせをするリューズ８、およびアラーム時刻などを設定する押釦スイッチ９が設けられている。
【０００８】
時計モジュール４は、アナログ機能とデジタル機能とを兼ね備えている。すなわち、時計モジュール４は、図３に示すように、ハウジング１０の上面に文字板１１が設けられ、ハウジング１０の下面に回路基板１２を介して地板１３が取り付けられ、この状態でハウジング１０が中枠１４に取り付けられた構成になっている。この場合、文字板１１には、図１に示すように、「１２時」および「６時」の位置付近に開口部１１ａが設けられている。この文字板１１の各開口部１１ａに対応する個所のハウジング１０には、表示部１５がそれぞれ設けられている。表示部１５は、時刻などの情報を表示するためのものであり、液晶表示パネルなどからなっている。また、ハウジング１０のほぼ中心付近には、アナログムーブメント（図示せず）が設けられている。このアナログムーブメントは、図１および図２に示すように、文字板１１の中心に設けられた貫通孔を通して文字板１１の上方に突出する指針軸７ａを備え、この指針軸７ａの先端部に指針７が取り付けられた構成になっている。
【０００９】
また、時計ケース１の「６時」側の上面には、図１および図２に示すように、上面スイッチ１６が設けられている。この上面スイッチ１６は、アラームモードや自動時刻修正モードなどのモードを切り換えるためのものであり、図３に示すように、釦軸１７を備えている。釦軸１７は、金属などの導電材料からなり、時計ケース１の上部に形成された貫通孔１８に防水リング１９を介して上下方向に移動可能に設けられ、その上端部が時計ケース１の上面よりも上方に突出し、下端部が時計ケース１内に突出している。そして、釦軸１７の上端部には、非導電性、例えば合成樹脂製のスイッチ釦２０が時計ケース１の上面よりも上方に突出した状態で設けられている。このスイッチ釦２０は、ほぼ「５時」から「７時」までの間に対応し、時計ケース１の上面に形成された凹部２１内に出没可能に配置されている。また、釦軸１７の下端部には、電極板２２を介して抜け止め用のＥリング２３が取り付けられている。さらに、スイッチ釦２０と防水リング１９との間における釦軸１７の外周には、釦軸１７を上方に付勢するためのコイルばね２４が設けられている。
【００１０】
また、釦軸１７の下方に位置するハウジング１０には、接点収納部２５が上下に貫通して設けられており、この接点収納部２５内には、接点ゴム２６が上下に露出した状態で設けられている。この接点ゴム２６は、下面が開放された膨出部２６ａの内面に可動接点２６ｂが設けられ、この可動接点２６ｂが回路基板１２の上面に設けられた一対の固定接点（図示せず）に離間対向し、釦軸１７によって接点ゴム２６が押圧されて弾性変形することにより、可動接点２６ｂが一対の固定接点に接触して、一対の固定接点を導通させるように構成されている。
【００１１】
一方、スイッチ釦２０の内部には、チップアンテナ２７が釦軸１７の上端面に配置された状態で埋め込まれている。このチップアンテナ２７は、チップ形状のアンテナであり、図９に示すように、チップ状の誘電体ブロック２７ａの表面に銀などの金属電極２７ｂを形成したものであり、その金属電極２７ｂの給電点が釦軸１７に接触することにより、釦軸１７と電気的に接続されている。また、チップアンテナ２７は、釦軸１７の下端部に設けられた電極板２２の一端部がハウジング１０に設けられた貫通孔２８内に配置された接続用のコイルばね２９の上端部に弾接し、このコイルばね２９の下端部が回路基板１２の接続電極（図示せず）に弾接していることにより、釦軸１７、電極板２２、およびコイルばね２９を介して回路基板１２と電気的に接続されている。
【００１２】
次に、このような電子腕時計の回路構成について、図４に示されたブロック図を参照して説明する。
上面スイッチ１６は、アラームモードと自動時刻修正モードとを切り換えるためのものであり、一方の電極端子がグランドＧに接続され、他方の電極端子に抵抗Ｒを介して電源が供給されているとともに、この他方の電極端子がＣＰＵ３０に接続されている。したがって、この上面スイッチ１６は、オフ状態のときにハイレベルの信号をＣＰＵ３０に与え、オン状態のときにローレベルの信号をＣＰＵ３０に与える。
【００１３】
ＣＰＵ３０は、ＲＯＭ３１からのプログラムに従って回路全般を制御するものであり、上面スイッチ１６からのローレベルの信号をカウントしてアラームモードと自動時刻修正モードとを切り換え、アラームモードのときに押釦スイッチ９からのスイッチ信号に基づいて時刻や日付などを設定し、表示部１５に表示させ、また自動時刻修正モードのときに受信部３２からのデジタル信号を取り込んで時刻修正をする。すなわち、受信部３２は、ＣＰＵ３０が自動時刻修正モードのときに、所定時間ごとにチップアンテナ２７で受信した時刻修正用の電波を電気信号として取り込んでデジタル信号に変換してＣＰＵ３０に与える。なお、ＣＰＵ３０は、受信部３２から与えられたデジタル信号に基づいて表示部１５の時刻を修正し、その修正したデータをＲＡＭ３３に記憶させるとともに、表示部１５に表示させる。
【００１４】
このような回路構成の電子腕時計では、上面スイッチ１６からのローレベルの信号がＣＰＵ３０に与えられると、ＣＰＵ３０でローレベルの信号をカウントし、アラームモードか自動時刻修正モードかを判断していずれかに切り換える。
例えば、上面スイッチ１６が１回押されると、アラームモードの「時」設定モードになり、２回押されると「分」設定モードになり、順次押されると「秒」、「日」、「曜日」の各設定モードに順次シフトし、この後、さらに押されると自動時刻修正モードに切り換わる。また、上面スイッチ１６が１回押されてアラームモードの「時」設定モードのときには、表示部１５の「時」表示が点滅し、この状態で押釦スイッチ９が押されるごとに、表示部１５の「時」表示に「１」が順次加算され、アラームモードの「時」データが設定される。この後、上面スイッチ１６から再びローレベルの信号がＣＰＵ３０に与えられると、アラームモードの「分」設定モードになり、上記と同様に、「分」データが設定される。同様にして、アラームモードの「秒」、「日」、「曜日」の各データが順次設定される。
【００１５】
このようにして、アラーム時刻が設定された後に、上面スイッチ１６から再度ローレベルの信号がＣＰＵ３０に与えられて、自動時刻修正モードに切り換わると、チップアンテナ２７で受信された時刻修正用の電波を受信部３２が所定時間ごとに電気信号として取り込み、取り込んだ電気信号を受信部３２でデジタル信号に変換してＣＰＵ３０に与え、このデジタル信号に基づいてＣＰＵ３０が表示部１５の時刻を自動的に修正し、この修正された時刻データがＲＡＭ３３に記憶されるとともに、表示部１５に表示される。
【００１６】
このように、この電子腕時計では、時計ケース１の上面に上面スイッチ１６を設け、この上面スイッチ１６のスイッチ釦２０内にチップアンテナ２７を時計ケース１の上面よりも上方に突出させた状態で設けたから、時計ケース１が金属製であっても、チップアンテナ２７を時計ケース１の外部に位置させることができ、このため確実かつ良好に電波を受信することができる。この場合、チップアンテナ２７が合成樹脂製のスイッチ釦２０の内部に埋め込まれているので、チップアンテナ２７が傷付いたり破損したりすることがなく、チップアンテナ２７を良好に保護することができる。また、このようにチップアンテナ２７を上面スイッチ１６のスイッチ釦２０に設けても、上面スイッチ１６を操作するとき、あるいはアラームモードなどの自動時刻修正モード以外のときに、受信部３２が受信機能を行わないので、時計として良好に使用することができるとともに、正確に時刻を自動的に修正することができる。
【００１７】
［第２実施形態］
次に、図５を参照して、この発明を電子腕時計に適用した第２実施形態について説明する。なお、図１〜図４に示された第１実施形態と同一部分には同一符号を付し、その説明は省略する。
この電子腕時計では、緊急通報用の回路に構成されており、これ以外は第１実施形態と同様の構成となっている。すなわち、この電子腕時計の回路構成は、第１実施形態と同様、上面スイッチ１６からのローレベルの信号がＣＰＵ３０に与えられると、ＣＰＵ３０でローレベルの信号に基づいてアラームモードか緊急通報用の送信モードかを判断して、そのいずれかに切り換える。
【００１８】
そして、ＣＰＵ３０は、送信モードのときに、スイッチ部３４から送信指令が与えられると、ＥＰＲＯＭ３５に記憶されているＩＤ番号などの識別番号データを取り込んで送信部３６に与える。送信部３６は、与えられた識別番号データをアナログ信号に変換してチップアンテナ２７から電波として送信する。この場合、スイッチ部３４は、時計ケース１の側面に設けられた押釦スイッチ９を利用しても良く、またこれとは別に時計ケース１の側面に送信用の押釦スイッチを設けたものでも良い。
【００１９】
このような電子腕時計においても、第１実施形態と同様、上面スイッチ１６のスイッチ釦２０内にチップアンテナ２７を時計ケース１の上面よりも上方に突出させた状態で設けたから、時計ケース１が金属製であっても、チップアンテナ２７を時計ケース１の外部に位置させることができ、このため確実かつ良好に電波を送信することができ、これにより容易かつ確実に緊急通報ができる。
【００２０】
なお、上記第１、第２実施形態では、それぞれ受信部３２と送信部３６とを別々に設けたが、これに限らず、例えば第１、第２実施形態を組み合わせて送受信機能をもたせても良い。
【００２１】
［第３実施形態］
次に、図６〜図８を参照して、この発明を電子腕時計に適用した第３実施形態について説明する。ここでも、チップ形状のアンテナとして、誘電体を用いたチップアンテナを使用している。
この電子腕時計では、合成樹脂製の時計ケース４０を備えている。この時計ケース４０の外面には、図６に斜線で示すように、金属などの導電部材４１が設けられている。また、時計ケース４０の上面には、時計ガラス４２が装着されているとともに、送信用の上面スイッチ４３が設けられており、時計ケース４０の内部には、時計モジュール４４が収納されている。さらに、時計ケース４０の下面には、裏蓋４５が防水リング４６を介して取り付けられている。
【００２２】
この場合、導電部材４１は、時計ケース４０の上面における時計ガラス２の周縁部と上面スイッチ４３とに対応する個所、および時計ケース４０の側面における「３時」側と「９時」側とに対応する個所を除く、時計ケース４０の上面および側面に設けられている。そして、時計ケース４０の「３時」側の側面は、導電部材４１よりも外側に突出して形成されており、この突出した部分にはモード切換用やアラーム時刻設定用などの押釦スイッチ４７、４８が設けられている。また、時計ケース４０の「９時」側の側面には、導電部材４１よりも外側に突出する突出部４９が形成されており、この突出部４９の内部にはアンテナ収納部５０が設けられている。
【００２３】
時計モジュール４４は、デジタル機能を有するものであり、表示部５１および回路基板５２を備えている。表示部５１は、時刻などの情報を表示するものであり、液晶表示パネルなどからなっている。回路基板５２は、時計機能および送受信機能に必要な電子部品が搭載されるものであり、図７に示すように、左側の端部がアンテナ収納部５０に向けて突出し、この突出した先端部にチップアンテナ５３が半田５４によって取り付けられた構成になっている。このチップアンテナ５３は、第１実施形態と同様、チップ状の誘電体ブロックの表面に銀などの金属電極を形成したものであり、その金属電極の給電点が回路基板５２と電気的に接続され、時計ケース４０のアンテナ収納部５０内に導電部材４１よりも外部に位置した状態で収納されている。
【００２４】
このような電子腕時計では、モード切換用の押釦スイッチ４７を操作して時計モードに設定すると、表示部５１に時刻などの情報が表示されるとともに、チップアンテナ５３による電波の送受信が可能な状態となる。このため、例えばチップアンテナ５３が時刻修正用の電波を受信した場合には、第１実施形態と同様、受信した時刻修正用の電波に基づいて表示部５１に表示される時刻を所定時間ごとに自動的に修正することができる。また、チップアンテナ５３で緊急通報をする場合には、送信用の上面スイッチ４３をオンすることにより、第２実施形態と同様、ＩＤ番号などの識別番号データをチップアンテナ５３から電波として送信することができる。なお、モード切換用の押釦スイッチ４７を操作してアラーム時刻設定モードに切り換え、この状態でアラーム時刻設定用の押釦スイッチ４８を操作すれば、アラーム時刻を設定することができる。
【００２５】
このように、この電子腕時計では、時計ケース４０の側面に導電部材４１よりも外側に突出する突出部４９を形成し、この突出部４９の内部にアンテナ収納部５０を設け、このアンテナ収納部５０内にチップアンテナ５３を導電部材４１よりも外部に位置させた状態で収納したから、時計ケース４０を合成樹脂で形成し、その外面を金属などの導電部材４１で覆っても、チップアンテナ５３を導電部材４１から外部に位置させることができ、このため確実かつ良好に電波を受信または送信することができる。
【００２６】
なお、上記第１、第３実施形態では、時刻修正用の電波を受信する場合について述べたが、これに限らず、例えばページャ（ポケットベル）などの電波を受信してその情報を表示部に表示させるようにしても良く、また携帯電話などの電波を受信して音や振動などで報知するようにしても良い。
また、上記第２、第３実施形態では、ＩＤ番号などの識別番号データを緊急通報として送信する場合について述べたが、これに限らず、ＲＡＭなどの記憶手段に記憶されている情報を送信するようにしても良い。
さらに、上記第１〜第３実施形態では、電子腕時計に適用した場合について述べたが、これに限らず、トラベルウオッチ、目覚まし時計、置き時計などの電子時計に適用できるばかりか、ページャなどの他の電子機器にも広く適用することができる。
【００２７】
【発明の効果】
以上説明したように、この発明によれば、ケースの少なくとも一部の外面が金属などの導電部材で覆われていても、チップアンテナを導電部材から外部に位置させることができ、このため確実かつ良好に電波を受信または送信することができる。
【図面の簡単な説明】
【図１】この発明を電子腕時計に適用した第１実施形態の正面図。
【図２】図１のＡ−Ａ断面図。
【図３】図２の要部拡大断面図。
【図４】図１の回路構成を示したブロック図。
【図５】この発明を電子腕時計に適用した第２実施形態における回路構成を示したブロック図。
【図６】この発明を電子腕時計に適用した第３実施形態の正面図。
【図７】図６のＢ−Ｂ断面図。
【図８】図６のＣ−Ｃ断面図。
【図９】チップアンテナを示した斜視図。
【符号の説明】
１、４０  時計ケース
１６  上面スイッチ
２０  スイッチ釦
２７、５３  チップアンテナ
４１  導電部材
４９  突出部
【図１】
0003700339.tif 000002
【図２】
0003700339.tif 000003
【図３】
0003700339.tif 000004
【図４】
0003700339.tif 000005
【図５】
0003700339.tif 000006
【図６】
0003700339.tif 000007
【図７】
0003700339.tif 000008
【図８】
0003700339.tif 000009
【図９】
0003700339.tif 000010